(57)【要約】【課題】不正なデバイスが接続された場合であっても、適切に電子機器を保護する。【解決手段】電子機器保護装置は、保護対象の電子機器と、未知のデバイスとの間に所定のインタフェースを用いて接続可能な電子機器保護装置であって、所定のインタフェースを用いて、保護対象の電子機器と接続可能な第１の接続端子部と、未知のデバイスと接続可能な第２の接続端子部とを備え、第２の接続端子部には、所定のインタフェースのうちの第１の接続端子部の電源供給端子及び接続されたデバイスを検出するための検出端子が接続され、所定のインタフェースのうちの第１の接続端子部のデータ通信を行うデータ通信端子が物理的に遮断されている。【選択図】図７
2020181414.tif 000002
【特許請求の範囲】
【請求項１】
保護対象の電子機器と、未知のデバイスとの間に所定のインタフェースを用いて接続可能な電子機器保護装置であって、
前記所定のインタフェースを用いて、前記保護対象の電子機器と接続可能な第１の接続端子部と、
前記未知のデバイスと接続可能な第２の接続端子部と
を備え、
前記第２の接続端子部には、前記所定のインタフェースのうちの前記第１の接続端子部の電源供給端子及び接続されたデバイスを検出するための検出端子が接続され、前記所定のインタフェースのうちの前記第１の接続端子部のデータ通信を行うデータ通信端子が物理的に遮断されている
電子機器保護装置。
【請求項２】
前記所定のインタフェースが、ＵＳＢ（Universal Serial Bus）タイプＣであり、
前記検出端子が、ＵＳＢタイプＣのＣＣ端子である
請求項１に記載の電子機器保護装置。
【請求項３】
前記検出端子が、過電圧を保護する保護回路に接続されている
請求項１又は請求項２に記載の電子機器保護装置。
【請求項４】
前記第１の接続端子部の前記データ通信端子に接続され、前記電子機器との間で前記データ通信端子を経由して、前記所定のインタフェースを用いてデータ通信を行う機能デバイス部を備える
請求項１から請求項３のいずれか一項に記載の電子機器保護装置。
【請求項５】
前記電子機器と着脱可能なドングル装置である
請求項１から請求項４のいずれか一項に記載の電子機器保護装置。
【請求項６】
所定のインタフェースを用いて、保護対象の電子機器と接続可能な第１の接続端子部と、未知のデバイスと接続可能な第２の接続端子部とを備え、前記第２の接続端子部には、前記所定のインタフェースのうちの前記第１の接続端子部の電源供給端子及び接続されたデバイスを検出するための検出端子が接続され、前記所定のインタフェースのうちの前記第１の接続端子部のデータ通信を行うデータ通信端子が物理的に遮断されている電子機器保護装置を用いた電子機器保護方法であって、
前記第１の接続端子部が、前記保護対象の電子機器に接続され、前記第２の接続端子部が、前記未知のデバイスに接続されて、前記電子機器保護装置が、前記保護対象の電子機器と前記未知のデバイスとの間に接続され、
前記データ通信端子が物理的に遮断されている状態で、前記保護対象の電子機器が、前記未知のデバイスから前記電源供給端子を経由して電源供給を受ける
電子機器保護方法。
【発明の詳細な説明】
【技術分野】
【０００１】
本発明は、電子機器保護装置、及び電子機器保護方法に関する。
【背景技術】
【０００２】
近年、電子機器のインタフェース技術として、例えば、ＵＳＢ（Universal Serial Bus）タイプＣなどのように、充電電力の供給、データ通信、画像データの出力など様々な用途に使用可能なインタフェースが知られている（例えば、特許文献１を参照）。
【先行技術文献】
【特許文献】
【０００３】
【特許文献１】特開２０１５−２０１１８０号公報
【発明の概要】
【発明が解決しようとする課題】
【０００４】
上述したようなＵＳＢタイプＣなどのインタフェースを利用して、例えば、公共の場に設置された充電装置に電子機器を接続して、電子機器のバッテリを充電する場合がある。しかしながら、このような場合に、公共の場に設置された充電装置が、例えば、悪意を持った第三者によって設置された不正なデバイスである可能性があり、接続した不正なデバイスによって、例えば、データの漏洩や電子機器の物理的な破壊が行われる可能性がある。
【０００５】
本発明は、上記問題を解決すべくなされたもので、その目的は、不正なデバイスが接続された場合であっても、適切に電子機器を保護することができる電子機器保護装置、及び電子機器保護方法を提供することにある。
【課題を解決するための手段】
【０００６】
上記問題を解決するために、本発明の一態様は、保護対象の電子機器と、未知のデバイスとの間に所定のインタフェースを用いて接続可能な電子機器保護装置であって、前記所定のインタフェースを用いて、前記保護対象の電子機器と接続可能な第１の接続端子部と、前記未知のデバイスと接続可能な第２の接続端子部とを備え、前記第２の接続端子部には、前記所定のインタフェースのうちの前記第１の接続端子部の電源供給端子及び接続されたデバイスを検出するための検出端子が接続され、前記所定のインタフェースのうちの前記第１の接続端子部のデータ通信を行うデータ通信端子が物理的に遮断されている電子機器保護装置である。
【０００７】
また、本発明の一態様は、上記の電子機器保護装置において、前記所定のインタフェースが、ＵＳＢ（Universal Serial Bus）タイプＣであり、前記検出端子が、ＵＳＢタイプＣのＣＣ端子であってもよい。
【０００８】
また、本発明の一態様は、上記の電子機器保護装置において、前記検出端子が、過電圧を保護する保護回路に接続されていてもよい。
【０００９】
また、本発明の一態様は、上記の電子機器保護装置において、前記第１の接続端子部の前記データ通信端子に接続され、前記電子機器との間で前記データ通信端子を経由して、前記所定のインタフェースを用いてデータ通信を行う機能デバイス部を備えていてもよい。
【００１０】
また、本発明の一態様は、上記の電子機器保護装置において、前記電子機器と着脱可能なドングル装置であってもよい。
【００１１】
また、本発明の一態様は、上記の電子機器保護装置において、所定のインタフェースを用いて、保護対象の電子機器と接続可能な第１の接続端子部と、未知のデバイスと接続可能な第２の接続端子部とを備え、前記第２の接続端子部には、前記所定のインタフェースのうちの前記第１の接続端子部の電源供給端子及び接続されたデバイスを検出するための検出端子が接続され、前記所定のインタフェースのうちの前記第１の接続端子部のデータ通信を行うデータ通信端子が物理的に遮断されている電子機器保護装置を用いた電子機器保護方法であって、前記第１の接続端子部が、前記保護対象の電子機器に接続され、前記第２の接続端子部が、前記未知のデバイスに接続されて、前記電子機器保護装置が、前記保護対象の電子機器と前記未知のデバイスとの間に接続され、前記データ通信端子が物理的に遮断されている状態で、前記保護対象の電子機器が、前記未知のデバイスから前記電源供給端子を経由して電源供給を受ける電子機器保護方法である。
【発明の効果】
【００１２】
本発明の上記態様によれば、不正なデバイスが接続された場合であっても、適切に電子機器を保護することができる。
【図面の簡単な説明】
【００１３】
【図１】第１の実施形態によるドングル装置の一例の外観を示す第１の斜視図である。
【図２】第１の実施形態によるドングル装置の一例の外観を示す第２の斜視図である。
【図３】オス型コネクタの端子例を示す図である。
【図４】メス型コネクタの端子例を示す図である。
【図５】ホスト装置に接続したドングル装置の一例を示す図である。
【図６】第１の実施形態による保護システムの一例を示す構成図である。
【図７】第１の実施形態による保護システムの一例を示す機能ブロック図である。
【図８】第１の実施形態によるオス型コネクタを反転して挿入した場合の保護システムの一例を示す機能ブロック図である。
【図９】ＣＣ端子による電源供給の決定処理の一例を示す図である。
【図１０】第２の実施形態による保護システムの一例を示す機能ブロック図である。
【発明を実施するための形態】
【００１４】
以下、本発明の一実施形態による電子機器保護装置、及び電子機器保護方法について、図面を参照して説明する。
【００１５】
［第１の実施形態］
図１及び図２は、第１の実施形態によるドングル装置１の一例の外観を示す斜視図である。
図１及び図２に示すように、ドングル装置１（電子機器保護装置の一例）は、例えば、ＵＳＢタイプＣインタフェース（所定のインタフェースの一例）を有するＵＳＢドングルである。ドングル装置１は、保護対象の電子機器（例えば、後述するホスト装置２）と、未知のデバイス（例えば、後述するデバイス４）との間に、ＵＳＢタイプＣインタフェースを用いて接続可能である。
【００１６】
また、図１及び図２に示すように、ドングル装置１は、オス型コネクタ１１と、メス型コネクタ１２とを備える。なお、図１は、メス型コネクタ１２の側からドングル装置１を見た斜視図であり、図２は、オス型コネクタ１１の側からドングル装置１を見た斜視図である。
【００１７】
オス型コネクタ１１（第１の接続端子部の一例）は、ＵＳＢタイプＣインタフェースを用いて、保護対象の電子機器（例えば、ホスト装置２）と接続可能な凸状のコネクタである。オス型コネクタ１１は、例えば、図３に示すように、ＵＳＢタイプＣインタフェースの複数の接続端子を有しているメス接続のプラグである。
【００１８】
図３は、オス型コネクタ１１の端子例を示す図である。図３に示すように、オス型コネクタ１１は、凸形状、且つ筒状のコネクタの内側に上下２列の端子列を有している。オス型コネクタ１１において、ＧＮＤ端子、及びＶＢＵＳ端子は、電源電力を供給するための電源供給端子である。
【００１９】
また、Ｄ＋端子、Ｄ−端子、ＴＸ１＋端子、ＴＸ１−端子、ＴＸ２＋端子、ＴＸ２−端子、ＲＸ１＋端子、ＲＸ１−端子、ＲＸ２＋端子、及びＲＸ２−端子は、データ通信を行うためのデータ通信端子である。また、ＣＣ端子、及びＶＣＯＮＮ端子は、ドングル装置１を経由して保護対象の電子機器と接続された未知のデバイスを検出するための検出端子である。また、ＳＢＵ１端子、及びＳＢＵ２は、サイドバンド用の補助端子である。
【００２０】
図１及び図２の説明に戻り、メス型コネクタ１２（第２の接続端子部の一例）は、ＵＳＢタイプＣインタフェースを用いて、未知のデバイス（例えば、デバイス４）と接続可能な凹形状のコネクタである。メス型コネクタ１２は、例えば、図４に示すように、ＵＳＢタイプＣインタフェースの複数の接続端子を有しているオス接続のレセプタクルである。
【００２１】
図４は、メス型コネクタ１２の端子例を示す図である。図４に示すように、メス型コネクタ１２は、凹形状の開口部の内部に突起状のコネクタを有し、突起状のコネクタに上下２列の端子列を有している。メス型コネクタ１２は、オス型コネクタ１１を上下（表裏）反転した場合でも使用可能（リバーシブル）に対応するように、オス型コネクタ１１と同様の端子が配置されている。なお、メス型コネクタ１２において、オス型コネクタ１１のＣＣ端子は、オス型コネクタ１１のリバーシブルに対応するため、ＣＣ１端子、及びＣＣ２端子に対応する。
【００２２】
図５は、ホスト装置２に接続したドングル装置１の一例を示す図である。
図５に示すように、ドングル装置１は、ホスト装置２に接続（装着）される際に、オス型コネクタ１１が、ホスト装置２が備えるＵＳＢタイプＣインタフェースのメス型コネクタ（メス型コネクタ１２と同様の形状のレセプタクル）に挿入されて接続される。このように、ドングル装置１は、ホスト装置２と着脱可能に構成されている。
【００２３】
メス型コネクタ１２には、ドングル装置１の内部で、オス型コネクタ１１の電源供給端子及び検出端子が接続され、オス型コネクタ１１のデータ通信端子が物理的に遮断されている。ここで、電源供給端子は、上述したＧＮＤ端子及びＶＢＵＳ端子に対応し、検出端子は、上述したＣＣ端子に対応する。また、データ通信端子は、Ｄ＋端子、Ｄ−端子、ＴＸ１＋端子、ＴＸ１−端子、ＴＸ２＋端子、ＴＸ２−端子、ＲＸ１＋端子、ＲＸ１−端子、ＲＸ２＋端子、及びＲＸ２−端子に対応する。なお、オス型コネクタ１１とメス型コネクタ１２との間の接続の詳細については、後述する。
【００２４】
次に、図６〜図８を参照して、本実施形態によるドングル装置１を用いた保護システム１００について説明する。
図６は、本実施形態による保護システム１００の一例を示す構成図である。
図６に示すように、保護システム１００は、ドングル装置１と、ホスト装置２と、デバイス４とを備える。保護システム１００は、ドングル装置１を用いて、ホスト装置２を保護するためのシステムである。
【００２５】
ホスト装置２は、例えば、ノートＰＣ（ノートパーソナルコンピュータ）などの電子機器であり、ＵＳＢタイプＣインタフェースを有している。
デバイス４は、例えば、公共の充電装置などの電源供給装置であり、未知のデバイスに対応する。デバイス４は、ＵＳＢタイプＣインタフェースを有しており、ＵＳＢケーブル３を経由して、接続した電子機器（ホスト装置２）に、電源電力を供給する。
【００２６】
ＵＳＢケーブル３は、ＵＳＢタイプＣインタフェース用の信号ケーブルであり、コネクタ部３１と、ケーブル部３２とを備えている。コネクタ部３１は、オス型コネクタ１１と同様の形状のオス型コネクタ（プラグ）である。
【００２７】
図６に示すように、保護システム１００では、ドングル装置１が、保護対象のホスト装置２と未知のデバイス４との間に接続される。例えば、ドングル装置１のオス型コネクタ１１が、保護対象のホスト装置２に接続され、ドングル装置１のメス型コネクタ１２が、ＵＳＢケーブル３を経由して、未知のデバイス４に接続される。すなわち、ドングル装置１のオス型コネクタ１１は、ホスト装置２のメス型コネクタに挿入され、ドングル装置１のメス型コネクタ１２には、ＵＳＢケーブル３のコネクタ部３１が挿入される。
【００２８】
次に、図７を参照して、本実施形態による保護システム１００の構成の詳細について説明する。
図７は、本実施形態による保護システム１００の一例を示す機能ブロック図である。
図７に示すように、ドングル装置１は、ホスト装置２とデバイス４との間に、ＵＳＢケーブル３を経由して接続される。
【００２９】
ドングル装置１のオス型コネクタ１１とメス型コネクタ１２との間では、オス型コネクタ１１のＶＢＵＳ端子とメス型コネクタ１２のＶＢＵＳ端子とが接続されているとともに、オス型コネクタ１１のＧＮＤ端子とメス型コネクタ１２のＧＮＤ端子とが接続されている。また、オス型コネクタ１１のＣＣ端子とメス型コネクタ１２のＣＣ１端子とが接続されているとともに、オス型コネクタ１１のＶＣＯＮＮ端子とメス型コネクタ１２のＣＣ２端子とが接続されている。
なお、図７に示す例では、ホスト装置２のＣＣ１端子が、オス型コネクタ１１のＣＣ端子及びメス型コネクタ１２のＣＣ１端子を介して、デバイス４のＣＣ端子に接続されており、当該接続線の信号を、ＣＣ１信号（ＣＣ信号）とする。
【００３０】
また、ドングル装置１のオス型コネクタ１１とメス型コネクタ１２との間では、Ｄ＋端子、Ｄ−端子、ＴＸ１＋端子、ＴＸ１−端子、ＴＸ２＋端子、ＴＸ２−端子、ＲＸ１＋端子、ＲＸ１−端子、ＲＸ２＋端子、及びＲＸ２−端子は、物理的に切断（遮断）されている。なお、図７において、ＴＸ１＋端子及びＴＸ１−端子を、ＳＳＴＸ１端子と表記し、ＴＸ２＋端子及びＴＸ２−端子を、ＳＳＴＸ２端子と表記する。また、ＲＸ１＋端子及びＲＸ１−端子を、ＳＳＲＸ１端子と表記し、ＲＸ２＋端子及びＲＸ２−端子を、ＳＳＲＸ２端子と表記する。
【００３１】
ホスト装置２は、保護回路（２１、２２）と、ＵＳＢ制御部２３と、スイッチ部２４と、ホスト制御部２５とを備える。
保護回路２１は、過電圧を保護する回路であり、オス型コネクタ１１のＣＣ端子（ＣＣ１端子）に接続されているＣＣ１信号線（ＣＣ信号線）に過電圧が印加された場合に、印加された過電圧をＧＮＤ端子に逃がして、ＣＣ端子に接続されているホスト装置２内の部品を過電圧から保護する。
【００３２】
保護回路２２は、過電圧を保護する回路であり、オス型コネクタ１１のＶＣＯＮＮ端子（ＣＣ２端子）に接続されているＣＣ２信号線（ＣＣ信号線）に過電圧が印加された場合に、印加された過電圧をＧＮＤ端子に逃がして、ＣＣ端子に接続されているホスト装置２内の部品を過電圧から保護する。
【００３３】
ＵＳＢ制御部２３は、ホスト装置２のＵＳＢタイプＣインタフェースの制御を行う。ＵＳＢ制御部２３は、例えば、ＣＣ信号を用いて、デバイス４との間で、デバイス４から供給される電源電力に関する情報交換を行い、デバイス４から供給させる電源電力を決定する処理を実行する。また、ＵＳＢ制御部２３は、デバイス４から供給された電源電力を、ホスト装置２で利用するために、スイッチ部２４を制御して、ホスト装置２の内部に供給することを許可する。
【００３４】
スイッチ部２４は、例えば、ＦＥＴ（Field Effect Transistor）などの半導体スイッチであり、ＵＳＢ制御部２３の制御に基づいて、ＵＳＢタイプＣインタフェースのＶＢＵＳ信号線から供給される電源電力をホスト装置２の内部に供給させる。
ドングル装置１を経由して、デバイス４から供給された電源電力は、例えば、ホスト装置２が備えるバッテリ（不図示）の充電電力や、ホスト装置２の動作電力として利用される。
【００３５】
ホスト制御部２５は、例えば、ＣＰＵ（Central Processing Unit）などを含むプロセッサであり、ホスト装置２を統括的に制御する。ホスト制御部２５は、ＵＳＢタイプＣインタフェースを利用する際に、ＵＳＢ制御部２３を制御する。
【００３６】
次に、図８を参照して、本実施形態によるオス型コネクタ１１を反転して挿入した場合の保護システム１００の一例について説明する。
図８は、本実施形態によるオス型コネクタ１１を反転して挿入した場合の保護システム１００の一例を示す機能ブロック図である。
図７に示す例では、ドングル装置１のオス型コネクタ１１が、上述した図６とは上下回転させて（反転させて）ホスト装置２のメス型コネクタに挿入されて接続されている。
【００３７】
図８に示す例では、オス型コネクタ１１のＣＣ端子とメス型コネクタ１２のＣＣ２端子とが接続されているとともに、オス型コネクタ１１のＶＣＯＮＮ端子とメス型コネクタ１２のＣＣ１端子とが接続されている。すなわち、ホスト装置２のＣＣ２端子が、オス型コネクタ１１のＣＣ端子及びメス型コネクタ１２のＣＣ２端子を介して、デバイス４のＣＣ端子に接続されており、当該接続線の信号を、ＣＣ２信号（ＣＣ信号）とする。
その他の接続は、上述した図７と同様である。
【００３８】
次に、図面を参照して、本実施形態によるドングル装置１及び保護システム１００の動作について説明する。
図９は、本実施形態におけるＣＣ端子による電源供給の決定処理の一例を示す図である。
【００３９】
図９において、ホスト装置２は、ドングル装置１が挿入されて、デバイス４と接続される（ステップＳ１０１）。すなわち、ホスト装置２にドングル装置１のオス型コネクタ１１が挿入され、さらに、ドングル装置１のメス型コネクタ１２に、デバイス４のＵＳＢケーブル３のコネクタ部３１が挿入されて、ホスト装置２とデバイス４とが、ドングル装置１を経由して接続される。
【００４０】
次に、デバイス４は、自装置が供給可能な電源情報（例えば、電圧及び電流）を、ＣＣ信号を用いてホスト装置２に通知する（ステップＳ１０２）。
【００４１】
次に、ホスト装置２は、デバイス４からの上述した電源情報（例えば、電圧及び電流）を正常に受信した場合に、ＣＣ信号を用いて受信確認をデバイス４に送信する（ステップＳ１０３）。すなわち、ホスト装置２のＵＳＢ制御部２３は、ＣＣ信号を用いて、電源情報（例えば、電圧及び電流）を受信した場合に、ＣＣ信号を用いて受信確認をデバイス４に送信する。
【００４２】
次に、ホスト装置２は、受電したい電源情報（例えば、電圧及び電流）を、ＣＣ信号を用いてデバイス４に通知する（ステップＳ１０４）。ＵＳＢ制御部２３は、デバイス４から受信した電源情報に基づいて、受電を希望する電源情報（例えば、電圧及び電流）を、ＣＣ信号を用いてデバイス４に送信する。
【００４３】
次に、デバイス４は、ホスト装置２からの上述した希望する電源情報（例えば、電圧及び電流）を正常に受信した場合に、ＣＣ信号を用いて受信確認をホスト装置２に送信する（ステップＳ１０５）。
【００４４】
次に、デバイス４は、要求された電源情報の受け入れ通知を、ＣＣ信号を用いてホスト装置２に送信する（ステップＳ１０６）。
【００４５】
次に、ホスト装置２は、電源情報の受け入れ通知を正常に受信した場合に、受信確認をＣＣ信号を用いてデバイス４に送信する（ステップＳ１０７）。すなわち、ＵＳＢ制御部２３は、ＣＣ信号を用いて、電源情報の受け入れ通知を受信した場合に、ＣＣ信号を用いて受信確認をデバイス４に送信する。
【００４６】
次に、デバイス４は、給電準備を行う（ステップＳ１０８）。すなわち、デバイス４は、ホスト装置２から要求された電圧及び電流を供給するための準備（例えば、各種設定の変更）を実行する。
【００４７】
次に、デバイス４は、給電準備の完了通知を、ＣＣ信号を用いてホスト装置２に送信する（ステップＳ１０９）。
【００４８】
次に、ホスト装置２は、デバイス４からの上述した給電準備の完了通知を正常に受信した場合に、ＣＣ信号を用いて受信確認をデバイス４に送信する（ステップＳ１１０）。すなわち、ＵＳＢ制御部２３は、ＣＣ信号を用いて、給電準備の完了通知を受信した場合に、ＣＣ信号を用いて受信確認をデバイス４に送信する。
【００４９】
次に、デバイス４は、ホスト装置２から要求された電圧及び電流を、ドングル装置１を経由してホスト装置２に供給し（ステップＳ１１１）、ホスト装置２は、デバイス４から供給された電源電力（電圧及び電流）の受電を開始する（ステップＳ１１２）。すなわち、ホスト装置２のＵＳＢ制御部２３は、スイッチ部２４をオン状態に制御して、デバイス４から供給された電源電力（電圧及び電流）を、ドングル装置１に内部に供給させる。例えば、ホスト装置２がバッテリを備える場合には、デバイス４から供給された電源電力（電圧及び電流）は、充電電力として利用される。
【００５０】
このように、ドングル装置１が、保護対象のホスト装置２と未知のデバイス４との間に接続され、データ通信端子が物理的に遮断されている状態で、保護対象のホスト装置２が、未知のデバイス４から電源供給端子を経由して電源供給を受電する。
【００５１】
以上説明したように、本実施形態によるドングル装置１（電子機器保護装置）は、保護対象のホスト装置２（電子機器）と、未知のデバイス４との間に所定のインタフェースを用いて接続可能な電子機器保護装置であって、オス型コネクタ１１（第１の接続端子部）と、メス型コネクタ１２（第２の接続端子部）とを備える。オス型コネクタ１１は、所定のインタフェース（例えば、ＵＳＢタイプＣインタフェース）を用いて、保護対象のホスト装置２と接続可能である。また、メス型コネクタ１２は、所定のインタフェース（例えば、ＵＳＢタイプＣインタフェース）を用いて、未知のデバイス４と接続可能である。メス型コネクタ１２には、所定のインタフェース（例えば、ＵＳＢタイプＣインタフェース）のうちのオス型コネクタ１１の電源供給端子及び接続されたデバイス４を検出するための検出端子が接続され、所定のインタフェース（例えば、ＵＳＢタイプＣインタフェース）のうちのオス型コネクタ１１のデータ通信を行うデータ通信端子が物理的に遮断されている。ここで、電源供給端子は、例えば、ＵＳＢタイプＣインタフェースのＶＢＵＳ端子、及びＧＮＤ端子であり、検出端子は、例えば、ＵＳＢタイプＣインタフェースのＣＣ端子である。また、データ通信端子は、例えば、ＵＳＢタイプＣインタフェースのＤ＋端子、Ｄ−端子、ＴＸ１＋端子、ＴＸ１−端子、ＴＸ２＋端子、ＴＸ２−端子、ＲＸ１＋端子、ＲＸ１−端子、ＲＸ２＋端子、及びＲＸ２−端子である。
【００５２】
これにより、本実施形態によるドングル装置１は、データ通信端子を物理的に遮断しているため、保護対象のホスト装置２（電子機器）と接続する未知のデバイス４が、例えば、悪意を持った第三者によって設置された不正なデバイス４であっても、データの漏洩や電子機器の物理的な破壊が行われることがない。すなわち、本実施形態によるドングル装置１では、例えば、デバイス４からホスト装置２を破壊する高電圧がデータ通信端子に印加された場合でも、データ通信端子を物理的に遮断しているため、ホスト装置２を保護することができる。また、本実施形態によるドングル装置１では、例えば、デバイス４が、データ通信端子を経由して、ホスト装置２に不正なプログラムをインストールしたり、ホスト装置２に記憶された秘密データを読み出そうとしても、データ通信端子を物理的に遮断しているため、データの漏洩を防止できる。
【００５３】
また、本実施形態によるドングル装置１では、ホスト装置２とデバイス４との間で、電源供給端子及び検出端子が接続されているため、例えば、未知のデバイス４から適切に電源電力の供給を受ける（受電する）ことができる。
よって、本実施形態によるドングル装置１では、不正なデバイス４が接続された場合であっても、適切にホスト装置２（電子機器）を保護することができる。すなわち、本実施形態によるドングル装置１は、例えば、公共の場に設置された充電装置などの未知のデバイス４に接続して安全に充電を行うことができる。
【００５４】
また、本実施形態では、所定のインタフェースが、ＵＳＢ（Universal Serial Bus）タイプＣであり、検出端子が、ＵＳＢタイプＣのＣＣ端子である。なお、ＵＳＢタイプＣのＣＣ端子は、ホスト装置２とデバイス４との接続を検出し、ホスト装置２とデバイス４との間で、電源供給端子から供給する電源電力の取り決めを行う端子である。
これにより、本実施形態によるドングル装置１では、ＣＣ端子により、ホスト装置２とデバイス４との間で供給する電源電力を適切に設定できるため、ホスト装置２は、適切に電源電力の供給を受けることができる。
【００５５】
また、本実施形態では、検出端子が、過電圧を保護する保護回路（２１、２２）に接続されている。
これにより、本実施形態によるドングル装置１では、不正なデバイス４が、検出端子（例えば、ＣＣ端子）に過電圧を印加するなどの攻撃をおこなった場合であっても、ホスト装置２を保護することができる。
【００５６】
また、本実施形態では、上述した電子機器保護装置は、ホスト装置２と着脱可能なドングル装置１である。
これにより、本実施形態によるドングル装置１は、着脱可能であるため、例えば、ドングル装置１を装着してホスト装置２と未知のデバイス４とを接続して使用し、未知のデバイス４の安全が確認できた場合に、ドングル装置１を外してホスト装置２とデバイス４とを接続して使用することができる。すなわち、本実施形態によるドングル装置１は、安全なデバイス４に対しては、ドングル装置１を外してホスト装置２とデバイス４との間で直接接続することで、給電以外の様々な用途に対応することができ、利便性を向上させることができる。
【００５７】
また、本実施形態による電子機器保護方法は、所定のインタフェース（例えば、ＵＳＢタイプＣインタフェース）を用いて、保護対象のホスト装置２と接続可能なオス型コネクタ１１と、未知のデバイス４と接続可能なメス型コネクタ１２とを備えるドングル装置１（電子機器保護装置）を用いた電子機器保護方法である。当該電子機器保護方法では、オス型コネクタ１１が、保護対象のホスト装置２に接続され、メス型コネクタ１２が、未知のデバイス４に接続されて、ドングル装置１が、保護対象のホスト装置２と未知のデバイス４との間に接続され、データ通信端子が物理的に遮断されている状態で、保護対象のホスト装置２が、未知のデバイス４から電源供給端子を経由して電源供給を受ける。
これにより、本実施形態による電子機器保護方法は、上述したドングル装置１と同様の効果を奏し、不正なデバイス４が接続された場合であっても、適切にホスト装置２（電子機器）を保護することができる。
【００５８】
また、本実施形態による保護システム１００は、上述したホスト装置２と、ドングル装置１とを備え、ドングル装置１が、保護対象のホスト装置２と未知のデバイス４との間に接続され、データ通信端子が物理的に遮断されている状態で、保護対象のホスト装置２が、未知のデバイス４から電源供給端子を経由して電源供給を受ける。
これにより、本実施形態による保護システム１００は、上述したドングル装置１と同様の効果を奏し、不正なデバイス４が接続された場合であっても、適切にホスト装置２（電子機器）を保護することができる。
【００５９】
［第２の実施形態］
次に、図面を参照して、第２の実施形態によるドングル装置１ａ及び保護システム１００ａについて説明する。
本実施形態では、ドングル装置１ａが、ＵＳＢメモリなどの機能デバイス部を備える変形例について説明する。
【００６０】
図１０は、本実施形態による保護システム１００ａの一例を示す機能ブロック図である。
図１０に示すように、保護システム１００ａは、ドングル装置１ａと、ホスト装置２と、デバイス４とを備える。
なお、図１０において、上述した図７と同一の構成には同一の符号を付与して、その説明を省略する。
【００６１】
ドングル装置１ａ（電子機器保護装置の一例）は、ホスト装置２とデバイス４との間に、ＵＳＢケーブル３を経由して接続される。なお、ドングル装置１ａの外観及び、ホスト装置２及びデバイス４との接続の仕方は、図１〜図６に示す第１の実施形態と同様であるため、ここではその説明を省略する。
【００６２】
ドングル装置１ａは、保護対象のホスト装置２（電子機器）と、未知のデバイス４との間に、ＵＳＢタイプＣインタフェースを用いて接続可能である。また、ドングル装置１ａは、オス型コネクタ１１と、メス型コネクタ１２と、ＵＳＢデバイス部１３とを備える。
【００６３】
ＵＳＢデバイス部１３（機能デバイス部の一例）は、例えば、ＵＳＢメモリ（フラッシュメモリ）や、Ｂｌｕｅｔｏｏｔｈ（登録商標）、無線ＬＡＮ（Local Area Network）、等の通信デバイス部などである。ＵＳＢデバイス部１３は、オス型コネクタ１１のデータ通信端子に接続され、ホスト装置２との間でデータ通信端子を経由して、ＵＳＢタイプＣインタフェースを用いてデータ通信を行う。ＵＳＢデバイス部１３は、例えば、ＶＢＵＳ端子及びＧＮＤ端子の信号線と接続されており、ＶＢＵＳ端子及びＧＮＤ端子による電源電力の供給を受けて動作する。
【００６４】
また、本実施形態によるＣＣ端子による電源供給の決定処理は、上述した図９示す第１の実施形態と同様であるため、ここではその説明を省略する。
【００６５】
以上説明したように、本実施形態によるドングル装置１ａは、オス型コネクタ１１と、メス型コネクタ１２と、ＵＳＢデバイス部１３とを備える。メス型コネクタ１２には、所定のインタフェースのうちのオス型コネクタ１１の電源供給端子及び接続されたデバイス４を検出するための検出端子が接続され、所定のインタフェースのうちのオス型コネクタ１１のデータ通信を行うデータ通信端子が物理的に遮断されている。
これにより、本実施形態によるドングル装置１ａは、上述した第１の実施形態のドングル装置１と同様の効果を奏し、不正なデバイス４が接続された場合であっても、適切にホスト装置２（電子機器）を保護することができる。
【００６６】
また、本実施形態では、ＵＳＢデバイス部１３（機能デバイス部）は、オス型コネクタ１１のデータ通信端子に接続され、ホスト装置２との間でデータ通信端子を経由して、所定のインタフェース（例えば、ＵＳＢタイプＣ）を用いてデータ通信を行う。
これにより、本実施形態によるドングル装置１ａは、適切にホスト装置２（電子機器）を保護するとともに、ホスト装置２とデータ通信端子を経由してデータ通信を行うＵＳＢデバイス部１３（機能デバイス部）として機能させることができる。そのため、本実施形態によるドングル装置１ａは、さらに利便性を向上させることができる。
【００６７】
なお、本発明は、上記の各実施形態に限定されるものではなく、本発明の趣旨を逸脱しない範囲で変更可能である。
例えば、上記の各実施形態において、所定のインタフェースが、ＵＳＢタイプＣインタフェースである例を説明したが、これに限定されるものではない。所定のインタフェースは、例えば、ライトニング（登録商標）や、マイクロＵＳＢなどのＵＳＢインタフェースの他の仕様であってもよい。
【００６８】
また、上記の各実施形態において、電子機器の一例として、ノートＰＣなどのホスト装置２である例を説明したが、これに限定されるものではなく、例えば、スマートフォンやタブレット端末などの他の電子機器であってもよい。
【００６９】
また、上記の各実施形態において、ホスト装置２が接続されるデバイス４の一例として、公共の充電装置などの電源供給装置である例を説明したが、例えば、未知のＡＣアダプタなどの他のデバイスであってもよい。
【００７０】
また、上記の各実施形態において、保護回路（２１、２２）は、ホスト装置２が備える例を説明したが、これに限定されるものではなく、ドングル装置１（１ａ）が、保護回路（２１、２２）を備えるようにしてもよい。
【００７１】
また、上記の各実施形態において、ドングル装置１（１ａ）は、オス型コネクタ１１（第１の接続端子部）と、メス型コネクタ１２（第２の接続端子部）との間で、データ通信端子の信号線が物理的に切断（遮断）されている例を説明したが、これに限定されるものではない。ドングル装置１（１ａ）は、例えば、データ通信に影響させずに切り替え可能な切替スイッチ部を備え、当該切替スイッチ部によって、データ通信端子が物理的に切断（遮断）されている状態と、データ通信端子が物理的に接続されている状態とを切り替えて使用できるようにしてもよい。
【００７２】
上述のホスト装置２及びデバイス４は内部に、コンピュータシステムを有している。そして、上述したＣＣ端子による電源供給の決定処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【符号の説明】
【００７３】
１、１ａ  ドングル装置
２  ホスト装置
３  ＵＳＢケーブル
４  デバイス
１１  オス型コネクタ
１２  メス型コネクタ
１３  ＵＳＢデバイス部
２１、２２  保護回路
２３  ＵＳＢ制御部
２４  スイッチ部
２５  ホスト制御部
３１  コネクタ部
３２  ケーブル部
１００、１００ａ  保護システム
【図１】
2020181414.tif 000003
【図２】
2020181414.tif 000004
【図３】
2020181414.tif 000005
【図４】
2020181414.tif 000006
【図５】
2020181414.tif 000007
【図６】
2020181414.tif 000008
【図７】
2020181414.tif 000009
【図８】
2020181414.tif 000010
【図９】
2020181414.tif 000011
【図１０】
2020181414.tif 000012